(57)【要約】【課題】  ２つの筐体が開状態と閉状態のいずれのときでもユーザーは１つの共通の表示部を視認しながら操作できると共に、閉状態のときでもその操作性を向上させることができる携帯端末装置を提供する。【解決手段】  表示部１２が外部に露出すると共にキー操作部１６が第１筐体１４によって覆われる閉状態と、第１筐体および第２筐体１８が互いに相対的に移動して表示部およびキー操作部が共に外部に露出する開状態とをとり得るように構成され、第１筐体の表示部の表面又は裏面に配置され該表示部を押下操作することにより作動するタッチパネル作動部３６が設けられ、開状態にあるときは、タッチパネル作動部が作動を禁止されるよう制御されると共に、閉状態にあるときは、タッチパネル作動部が作動可能となるよう制御され、アイコン表示が押下操作可能に表示部に表示される。【選択図】      図１１
2006067532.tif 000002
【特許請求の範囲】
【請求項１】
外部に露出して設けられた表示部を有する第１筐体と、複数の操作キーが設けられたキー操作部を有する第２筐体とが連結され、
前記第１筐体および第２筐体が互いに重ね合わさり、前記表示部が外部に露出すると共に前記キー操作部が前記第１筐体によって覆われる閉状態と、
前記第１筐体および第２筐体が互いに相対的に移動して前記表示部および前記キー操作部が共に外部に露出する開状態とをとり得るように構成され、
前記第１筐体の表示部の表面又は裏面に配置され該表示部の上から押下操作することにより作動するタッチパネル作動部が設けられ、
前記開状態にあるときは、前記タッチパネル作動部が作動を禁止されるよう制御されると共に、前記キー操作部のうちの少なくとも１つの操作キーに対応するガイド表示が前記表示部に表示され、
前記閉状態にあるときは、前記タッチパネル作動部が作動可能となるよう制御されると共に、前記ガイド表示に対応するアイコン表示が前記表示部の上から押下操作可能に表示部のタッチパネル作動部に対応する位置に表示されるようにしたことを特徴とする携帯端末装置。
【請求項２】
外部に露出して設けられた表示部を有する第１筐体と、複数の操作キーが設けられたキー操作部を有する第２筐体とが連結され、
前記第１筐体および第２筐体が互いに重ね合わさり、前記表示部が外部に露出すると共に前記キー操作部が前記第１筐体によって覆われる閉状態と、
前記第１筐体および第２筐体が互いに相対的に移動して前記表示部および前記キー操作部が共に外部に露出する開状態とをとり得るように構成され、
前記第１筐体の表示部の表面又は裏面に配置され該表示部の上から押下操作することにより作動するタッチパネル作動部が設けられ、
前記開状態にあるときは、前記タッチパネル作動部が作動を禁止されるよう制御されると共に、前記キー操作部のうちの少なくとも１つの操作キーが所定の機能を起動するためのショートカットキーとして機能し、
前記閉状態にあるときは、前記タッチパネル作動部が作動可能となるよう制御されると共に、前記ショートカットキーに対応するアイコン表示が前記表示部の上から押下操作可能に表示部のタッチパネル作動部に対応する位置に表示されるようにしたことを特徴とする携帯端末装置。
【請求項３】
前記第１筐体と第２筐体とが、互いの重ね合わせ面に対して略垂直な軸線の回りに相対的に回動可能に連結されていることを特徴とする請求項１又は２に記載の携帯端末装置。
【請求項４】
前記第１筐体と第２筐体とが、互いの重ね合わせ面と略平行な直線方向に相対的に移動可能に連結されていることを特徴とする請求項１又は２に記載の携帯端末装置。
【発明の詳細な説明】
【技術分野】
【０００１】
本発明は、例えば携帯電話機等の携帯端末装置に関するものである。
【背景技術】
【０００２】
携帯電話機等の携帯端末装置は、厳しい小型化が求められており、近年では折り畳み型が主流になっている。折り畳み型の携帯端末装置では、２つの筐体をヒンジ（蝶番）を介して開閉可能に接続することで、通話やメール作成等に使用するときは２つの筐体を開状態にし、一方、使用しないで持ち運んだりするときには２つの筐体を折り畳んだ閉状態にして小型化することができる。
【０００３】
しかし、携帯端末装置の多機能化に伴い、閉状態であっても表示部を見ながらアドレス帳検索や、メール閲覧などの操作を行ないたいというニーズを受けて、水平回転式、すなわち、第１筐体と第２筐体とが重ね合わせて配置され、互いの重ね合わせ面に対して略垂直な軸線の回りに相対的に回動可能に連結される方式の携帯端末装置が誕生した。
【０００４】
上記水平回転式の携帯端末装置は、そのような構造をとることにより、２つの筐体が開状態でも閉状態でも１つの共通の表示部を視認することができ、これにより、閉状態であっても副操作部を用いて携帯端末装置の簡単な操作を行なうことができるようになっている。
【０００５】
しかし、携帯端末装置の多機能化に伴いその操作は複雑になる一方で、２つの筐体が閉状態でも色々な操作が可能なようにするには、テンキーやその他のファンクションキーなどの主操作部以外にもいくつかの副操作部を備えるものがある。このような副操作部としては、例えば特許文献１の携帯端末装置が有する、サイドコントローラ２０１やサイドキー２０３（特許文献１の図２,３参照）があった。
【特許文献１】特開２００４−１８００８０号公報
【発明の開示】
【発明が解決しようとする課題】
【０００６】
しかしながら、副操作部だけでは主操作部に比べてごく簡単な操作しかできないため、２つの筐体が閉状態のときはそれが開状態のときと比べて携帯端末装置の操作性が低下するという問題があった。また、副操作部により複雑な操作をするためにはその副操作部が多数必要となるが、副操作部が多くなるとユーザーはそれと機能との対応付けが把握できず混乱してしまうので、著しく携帯端末装置の操作性が低下するという問題があった。
【０００７】
そこで本発明は、上記問題点に鑑みて、２つの筐体が開状態と閉状態のいずれのときでもユーザーは１つの共通の表示部を視認しながら操作できると共に、閉状態のときでもその操作性を向上させることができる携帯端末装置を提供することを課題とするものである。
【課題を解決するための手段】
【０００８】
上記課題を解決するために、請求項１に係る本発明の携帯端末装置は、
外部に露出して設けられた表示部を有する第１筐体と、複数の操作キーが設けられたキー操作部を有する第２筐体とが連結され、
前記第１筐体および第２筐体が互いに重ね合わさり、前記表示部が外部に露出すると共に前記キー操作部が前記第１筐体によって覆われる閉状態と、
前記第１筐体および第２筐体が互いに相対的に移動して前記表示部および前記キー操作部が共に外部に露出する開状態とをとり得るように構成され、
前記第１筐体の表示部の表面又は裏面に配置され該表示部の上から押下操作することにより作動するタッチパネル作動部が設けられ、
前記開状態にあるときは、前記タッチパネル作動部が作動を禁止されるよう制御されると共に、前記キー操作部のうちの少なくとも１つの操作キーに対応するガイド表示が前記表示部に表示され、
前記閉状態にあるときは、前記タッチパネル作動部が作動可能となるよう制御されると共に、前記ガイド表示に対応するアイコン表示が前記表示部の上から押下操作可能に表示部のタッチパネル作動部に対応する位置に表示されるようにしたことを特徴とするものである。
【０００９】
また、上記課題を解決するために、請求項２に係る本発明の携帯端末装置は、
外部に露出して設けられた表示部を有する第１筐体と、複数の操作キーが設けられたキー操作部を有する第２筐体とが連結され、
前記第１筐体および第２筐体が互いに重ね合わさり、前記表示部が外部に露出すると共に前記キー操作部が前記第１筐体によって覆われる閉状態と、
前記第１筐体および第２筐体が互いに相対的に移動して前記表示部および前記キー操作部が共に外部に露出する開状態とをとり得るように構成され、
前記第１筐体の表示部の表面又は裏面に配置され該表示部の上から押下操作することにより作動するタッチパネル作動部が設けられ、
前記開状態にあるときは、前記タッチパネル作動部が作動を禁止されるよう制御されると共に、前記キー操作部のうちの少なくとも１つの操作キーが所定の機能を起動するためのショートカットキーとして機能し、
前記閉状態にあるときは、前記タッチパネル作動部が作動可能となるよう制御されると共に、前記ショートカットキーに対応するアイコン表示が前記表示部の上から押下操作可能に表示部のタッチパネル作動部に対応する位置に表示されるようにしたことを特徴とするものである。
【００１０】
また、請求項３に係る本発明は、請求項１又は２に係る本発明の携帯端末装置において、前記第１筐体と第２筐体とが、互いの重ね合わせ面と略垂直な軸線を中心に相対的に回動可能に連結されていることを特徴とするものである。
【００１１】
また、請求項４に係る本発明は、請求項１又は２に係る本発明の携帯端末装置において、前記第１筐体と第２筐体とが、互いの重ね合わせ面と略平行方向に相対的に移動可能に連結されていることを特徴とするものである。
【発明の効果】
【００１２】
このような携帯端末装置によれば、２つの筐体が開状態と閉状態のいずれのときでもユーザーは１つの共通の表示部を視認しながら操作できると共に、閉状態のときでもその操作性を向上させることができる。
【発明を実施するための最良の形態】
【００１３】
以下、本発明の実施の形態について、図面に基づいて具体的に説明する。
図１ないし図１４は、本発明による携帯端末装置の一実施の形態について説明するために参照する図である。
【００１４】
図１に示す携帯電話機１０（携帯端末装置）は、表示部１２を有する第１筐体１４と、主操作部１６（キー操作部）を有する第２筐体１８を備えている。これらの第１，第２筐体１４，１８は、図２に示すようにこれらの外形が揃うように重ね合わせたときの、互いの重ね合わせ面に対して略垂直方向に伸びる軸部材２０の軸線を中心として、その回りに互いに相対的に回動自在に連結されている。すなわち、携帯電話機１０は水平回転式の携帯端末装置に係るものである。
【００１５】
携帯電話機１０の表示部１２は、全体としてはＬＣＤ（液晶ディスプレー）により構成されているが、部分的には、そのＬＣＤの内側にタッチパネル作動部３６（図４，５参照）が配置されて組み込まれている。
【００１６】
すなわち、図１１に示す表示部１２の下部位置において、図５に示すように、表示部１２の裏側にはタッチパネルパッド４１が配置されて設けられている。そして、このタッチパネルパッド４１とその下方の回路基板４５との間にはタッチパネルスイッチ４３が設けられている。
【００１７】
そして、図１１に示すように、表示部１２の図中下部位置の表面上には、タッチパネルパッド４１に対応する位置にアイコン表示Ｇ１〜Ｇ５が表示されている。このため、表示部１２上のアイコン表示Ｇ１〜Ｇ５のいずれかを押下すると、タッチパネルパッド４１が押下されてタッチパネルスイッチ４３がＯＮし、このとき発生した信号を制御部３４に送るようになっている。
【００１８】
また携帯電話機１０は、第１筐体１４が表示部１２の他にスピーカー１５等の他の部品を有し、第２筐体１８が主操作部１６の他にマイクロホン１７等の他の部品を有している。
【００１９】
図１は、開状態の携帯電話機１０を示しており、図２に示す互いに完全に重なり合った状態の第１，第２筐体１４，１８が、互いに軸部材２０の軸線の回りに１８０°相対回転して開いた状態となったものである。ちなみに図３には、携帯電話機１０の図１に示す開状態と図２に示す閉状態の中間の状態を示している。
【００２０】
携帯電話機１０が開状態となっているときは、表示部１２はＬＣＤとしてのみの機能が発揮され、閉状態となっているときは表示部１２の一部にタッチパネル用のアイコン表示が現れて、そのアイコン表示を押下操作することにより、タッチパネルスイッチ４３がＯＮして所定の機能が動作するようになっている。
【００２１】
図４は、携帯電話機１０の回路構成を示すブロック図である。その回路構成は、上記表示部１２、主操作部１６、スピーカー１５、マイクロホン１７が制御部３４に制御可能に接続されている他、記憶部３２、無線部３８、タッチパネル作動部３６が同じく制御部３４に制御可能に接続されている。
【００２２】
このような携帯電話機１０の使用方法について、図６に示すフローチャートに基づいて以下に説明する。
【００２３】
携帯電話機１０が開状態のときは（図６のステップＳ１におけるＹＥＳ）、図１，７に示すように、テンキーやファンクションキー２２等の主操作部１６が外部に露出すると共に、表示部１２のＬＣＤの内側に配置された、タッチパネルパッド４１とタッチパネルスイッチ４３から成るタッチパネル作動部３６が、その作動を禁止されるよう制御される（図６のステップＳ２、タッチパネル作動不可）。これは、主操作部１６のすべての操作キーが使用可能の状態になっているので、タッチパネル作動部３６を操作する必要がないからである。
【００２４】
この場合は、表示部１２には、主操作部１６の各操作キーと対応した「メニュー」、「編集」等のピクト表示が画面の下部に現れるので、ユーザーは主操作部１６の操作キーを使って、それらの「メニュー」、「編集」等に係る操作を行なうことができる（図６のステップＳ３）。
【００２５】
例えば、主操作部１６のメニューキー２２ｂを押下することにより、図８に示すように、表示部１２の画面中央部にメニューリストが表示されたウインドゥが現れるようになっている。
【００２６】
一方、主操作部１６の中のいずれかの操作キーは、所定の機能を起動させるためのショートカットキーとしての役割が割り当てられている。このため、例えば、ショートカットキーとしてのファンクションキー２２ａを押下することにより、例えば、図９に示すような「メール返信」用のショートカット画面が、表示部１２に現れるようになっている。そして、再びファンクションキー２２ａを押下することにより、例えば、図１０に示すような「電話帳登録」用のショートカット画面が、表示部１２に現れるようになっている。
【００２７】
図６のステップＳ１においてＮＯのとき、すなわち携帯電話機１０が開状態でないとき、例えば、図１に示すような開状態のときから、図３に示すような中間状態を経て、図２，１１に示すような閉状態となったときは（図６のステップＳ４）、テンキーやファンクションキー２２等の主操作部１６が第１筐体１４により覆われて使えなくなるため、表示部１２のＬＣＤの内側に配置されたタッチパネル作動部３６が作動可能となるよう制御部３４により制御されるので（図６のステップＳ５）、タッチパネル作動部３６は操作可能となる。
【００２８】
すなわち、図１１に示すように、表示部１２の画面の下部には、「返信」、「電話帳登録」、「メニュー」、上向き及び下向きの三角マーク等のアイコン表示が現れて、これらのうちのいずれかのアイコン表示を押下することによりタッチパネルとしての操作が可能となる。
【００２９】
この状態から、表示部１２の「メニュー」（ＭＥＮＵ）のアイコン表示Ｇ１を押下すると（図６のステップＳ６）、図１２に示すように、表示部１２の画面中央部にメニューリストが表示されたウインドゥが現れるようになっている。
【００３０】
次に表示部１２の「返信」のアイコン表示Ｇ２を押下すると、図１３に示すような「メール返信」用のショートカット画面が現れるようになっている。また、「返信」のアイコン表示Ｇ２の代りに、「電話帳登録」のアイコン表示Ｇ３を押下すると、図１４に示すような、「電話帳登録」用のショートカット画面が現れるようになっている。
【００３１】
また図１２の画面が出ているときに、メニューリストの中に所望のメニューが無いときは、図１１に示す上向き又は下向きの三角マークのアイコン表示Ｇ４又はＧ５を押下することにより、メニューリストを上方向又は下方向にスクロールさせて、所望のメニューを探すことができる。
【００３２】
このようにしてタッチパネル作動部３６の操作により携帯電話機１０が種々の動作をすることができるが、タッチパネル作動部だけでは不可能な動作もあるので、その場合は（図６のステップＳ７においてＹＥＳ）、携帯電話機１０を開状態にして（図６のステップＳ８）、主操作部１６の各種操作キーを用いて種々の操作を行うことができる（図６のステップＳ３）。
【００３３】
このような携帯電話機１０によれば、次のような作用効果を奏する。すなわち、携帯電話機１０を開状態で作業している途中で閉状態とした場合に、開状態でキー操作部１６の所定のキーに割り当てられたガイド表示と同様のアイコン表示がタッチパネル作動部３６で押下操作可能に表示されるため、ユーザは操作に迷うことなく作業を継続することができる。また、同様に、開状態でキー操作部１６の所定のキーに割り当てられたショートカット機能に対応するアイコン表示がタッチパネル作動部３６で押下操作可能に表示されるため、ユーザは操作に迷うことなく作業を継続することができる。
これは、携帯電話機１０を閉状態で作業している途中で開状態とした場合であっても、上記順序と逆に遷移するため同様の作用効果を奏することは明らかである。
【００３４】
このように、携帯電話機１０によれば、携帯電話機１０で開状態と閉状態のうち一方の状態で作業中に他方の状態に遷移させたとしても、ユーザーは１つの共通の表示部１２を視認しながら操作に迷うことなく、作業を継続することができる。
【００３５】
そして、携帯電話機１０が閉状態のときでもタッチパネル作動部３６により操作することができるので、ユーザーに携帯電話機１０を操作するための各種の操作情報を提供することができると共に、閉状態のときでも携帯電話機１０の操作性を向上させることができる。
【００３６】
なお、前記実施の形態においては、携帯電話機１０が閉状態のときのタッチパネル用のアイコン表示として、「返信」、「電話帳登録」、「メニュー」について説明したが、それ以外の作業に係るアイコン表示を表示部１２に表示するようにしてもよいことはいうまでもない。
【００３７】
また、前記実施の形態においては、開状態のときに表示部１２に現れるショートカット画面を、主操作部１６のすべての操作キーに対応させてもよいが、「選択メニュー」から選択できない機能のみを主操作部１６の操作キーに対応させてもよい。このことにより、ショートカットのアイコンを表示部１２に一括して表示するときに、表示部１２の表示領域にすべてのショートカットのアイコンが、一括して表示できなくなることを防止することができる。
【００３８】
また、前記実施の形態においては、表示部１２の内側にタッチパネル作動部３６（タッチパネルパッド４１及びタッチパネルスイッチ４３）を配置する例で説明したが、これに限定されず、フィルム状のタッチパネルデバイスを表示部１２の外側に配置するように構成しても本発明を適用することができる。
また、前記実施の形態においては、タッチパネル作動部３６は、表示部１２の一部分に配置されているが、これに限定されず、表示部１２全体にわたってタッチパネル作動部３６を配置してもよい。
【００３９】
また、前記実施の形態においては、水平回転式の携帯電話機１０について説明したが、第１筐体と第２筐体とが互いの重ね合わせ面と略平行な直線方向に相対的に移動可能に連結されている、いわゆるスライダータイプの携帯電話機等の携帯端末装置についても本発明は適用することができる
【図面の簡単な説明】
【００４０】
【図１】本発明の一実施の形態に係る開状態の携帯電話機１０を示す正面図である。
【図２】本発明の一実施の形態に係る閉状態の携帯電話機１０を示す正面図である。
【図３】携帯電話機１０の図１に示す開状態と図２に示す閉状態の中間の状態を示す正面図である。
【図４】携帯電話機１０の回路構成を示すブロック図である。
【図５】図２に示す携帯電話機１０のＡ−Ａ線部分断面図である。
【図６】携帯電話機１０の使用方法の手順を示すフローチャートである。
【図７】図１に示す開状態の携帯電話機１０の表示部１２の画面の一例を示す部分拡大図である。
【図８】表示部１２の別の画面を示す部分拡大図である。
【図９】表示部１２の別の画面を示す部分拡大図である。
【図１０】表示部１２の別の画面を示す部分拡大図である。
【図１１】図２に示す閉状態の携帯電話機１０の表示部１２の画面の一例を示す拡大正面図である。
【図１２】表示部１２の別の画面を示す部分拡大図である。
【図１３】表示部１２の別の画面を示す部分拡大図である。
【図１４】表示部１２の別の画面を示す部分拡大図である。
【符号の説明】
【００４１】
１０  携帯電話機
１２  表示部
１４  第１筐体
１５  スピーカー
１６  主操作部
１７  マイクロホン
１８  第２筐体
２０  軸部材
２２，２２ａ  ファンクションキー
２２ｂ  メニューキー
３２  記憶部
３４  制御部
３６  タッチパネル作動部
３８  無線部
４１  タッチパネルパッド
４３  タッチパネルスイッチ
４５  回路基板
【図１】
2006067532.tif 000003
【図２】
2006067532.tif 000004
【図３】
2006067532.tif 000005
【図４】
2006067532.tif 000006
【図５】
2006067532.tif 000007
【図６】
2006067532.tif 000008
【図７】
2006067532.tif 000009
【図８】
2006067532.tif 000010
【図９】
2006067532.tif 000011
【図１０】
2006067532.tif 000012
【図１１】
2006067532.tif 000013
【図１２】
2006067532.tif 000014
【図１３】
2006067532.tif 000015
【図１４】
2006067532.tif 000016